(57)【特許請求の範囲】
【請求項１】
電源スイッチ及び傾斜オフスイッチが備えられた本体と、
前記本体の下部に着脱可能に結合され、前記電源スイッチによってオン／オフされる紫外線ランプと、
前記本体に内蔵され、前記電源スイッチがオンされると、動作状態に変換され、前記紫外線ランプの照射角度が一定の角度から外れた場合、前記紫外線ランプをオフさせ、前記傾斜オフスイッチの作動時に前記電源スイッチがオンされても未動作状態に維持される傾斜センサと、を含み、
前記本体の上面両側には収容溝が形成され、前記収容溝には着脱可能に脚が結合され、前記脚は前記本体の下面両側に形成された結合溝に着脱可能に結合され、前記紫外線ランプと地面との間の距離を離隔させる
ことを特徴とする紫外線殺菌装置。
【請求項２】
前記結合溝への前記脚の結合は、雄雌及び磁性結合である
請求項１に記載の紫外線殺菌装置。
【請求項３】
前記本体の上面両側に延長溝が形成され、前記延長溝には着脱可能に延長バーが結合され、前記延長バーは前記結合溝と前記脚との間に着脱可能に結合されて、前記紫外線ランプと地面との間の距離を、前記脚だけが結合されているときよりさらに離隔させる
請求項１に記載の紫外線殺菌装置。
【請求項４】
前記結合溝と前記延長バーの結合及び前記延長バーと前記脚の結合は、雄雌及び磁性結合である
請求項１に記載の紫外線殺菌装置。
【請求項５】
前記本体の上面中心部には、取っ手が着脱可能に結合される
請求項１に記載の紫外線殺菌装置。
【発明の詳細な説明】
【技術分野】
【０００１】
本発明は、紫外線殺菌装置に関し、特に細菌が繁殖している対象物を紫外線で殺菌できる小型の紫外線殺菌装置に関する。
【背景技術】
【０００２】
一般的に、食器や哺乳瓶及びその他製品を使用していると、様々な汚染物質及び細菌が繁殖することになり、これらを除去できる殺菌器として紫外線を活用する紫外線殺菌器が広く普及されている。
【０００３】
このような紫外線殺菌器の場合、大半は本体の内部に殺菌しようとする製品を収納した後、紫外線ランプを通じて照射された紫外線を活用して殺菌する形態のものである。
【０００４】
しかし、このような据え置き式紫外線殺菌器の場合、活用できる製品には限界がある。すなわち、据え置き式殺菌器は食器や哺乳瓶など、本体の内部に収納できる大きさの製品だけが殺菌可能であるため、例えばベッドのマットレスや布団などのような製品は据え置き式紫外線殺菌器では殺菌できないという短所がある。
【０００５】
したがって、このような短所を解決するため、最近は携帯用紫外線殺菌器が発売されている。
【０００６】
携帯用紫外線殺菌器の場合、取っ手が形成された本体内部に反射笠を形成し、その内部に紫外線ランプを設置して外部に紫外線が照射され得るように構成するのが一般的である。これを通じて殺菌しようとする製品を本体の内部に収納する必要がないため、多様な用途で使用できるという長所がある。
【０００７】
しかし、このような携帯用紫外線殺菌器の場合にも不注意な使用によって紫外線ランプから照射された光が隣接した人の目に直接照射される場合、紫外線に直接露出された目に悪影響を及ぼす問題点があった。
【０００８】
また、携帯用紫外線殺菌器は、使用者が取っ手をとって対象物に対して所定時間殺菌作業を行わなければならないため、その使用に力が消耗され、利便性が劣るという短所がある。
【先行技術文献】
【特許文献】
【０００９】
【特許文献１】韓国公開特許第１０−２００４−００４６８０５号（２００４年０６月０５日）
【発明の概要】
【発明が解決しようとする課題】
【００１０】
本発明は前記の問題点を解決するためのものであって、紫外線殺菌中に紫外線の照射角度が一定の角度から外れた場合、紫外線の照射が中断され、選択的に紫外線の照射角度に影響されずに紫外線を照射し続け得る紫外線殺菌装置を提供することをその目的とする。
【００１１】
また、本発明は殺菌作業時にその使用に大きな力を必要としないため、手軽に作業できる紫外線殺菌装置を提供することをその目的とする。
【課題を解決するための手段】
【００１２】
本発明の紫外線殺菌装置は、電源スイッチ及び傾斜オフスイッチが備えられた本体；前記本体の下部に着脱可能に結合され、前記電源スイッチによってオン／オフ（ｏｎ／ｏｆｆ）される紫外線ランプ；及び前記本体に内蔵され、前記電源スイッチがオン（ｏｎ）されると、動作状態に変換され、前記紫外線ランプの照射角度が一定の角度から外れた場合、前記紫外線ランプをオフ（ｏｆｆ）させ、前記傾斜オフスイッチの作動時に前記電源スイッチがオン（ｏｎ）されても未動作状態に維持される傾斜センサ；を含む。
【００１３】
前記本体の上面両側には収容溝が形成され、前記収容溝には着脱可能に脚が結合されるものの、前記脚は前記本体の下面両側に形成された結合溝に着脱可能に結合され、前記紫外線ランプと地面との間の距離を離隔させることが好ましい。
【００１４】
前記結合溝への前記脚の結合は、雄雌及び磁性結合であることが好ましい。
【００１５】
前記本体の上面両側に延長溝が形成され、前記延長溝には着脱可能に延長バーが結合されるものの、前記延長バーは前記結合溝と前記脚との間に着脱可能に結合され、前記紫外線ランプと地面との間の距離を、前記脚だけが結合されているときよりさらに離隔させることが好ましい。
【００１６】
前記結合溝と前記延長バーの結合及び前記延長バーと前記脚の結合は、雄雌及び磁性結合であることが好ましい。
【００１７】
前記本体の上面中心部には、取っ手が着脱可能に結合されることが好ましい。
【発明の効果】
【００１８】
本発明の紫外線殺菌装置によれば、紫外線ランプをオン（ｏｎ）させて対象物を殺菌する過程で、紫外線の照射角度が一定の角度から外れると、本体に内蔵された傾斜センサがこれを感知して自動で紫外線ランプをオフ（ｏｆｆ）させることによって不注意な使用による人命事故を防止できる長所を持つ。
【００１９】
また、壁面などに対して殺菌作業を行う場合、傾斜センサの動作を中断させると、紫外線の照射角度が一定の角度から外れても使用できるため、場所や対象に関わらず、どこでも使用できる長所を持つ。
【００２０】
また、ベッドのマットレスなどのように広く広げられている対象物に対して紫外線殺菌作業を行うとき、脚を本体下部に結合すれば使用者が手でつかんでいなくてもよいため、使い勝手がよい長所を持つ。
【００２１】
また、本体と脚との間に延長バーをさらに介在させることによって紫外線ランプと対象物との間の距離を調節できる長所を持つ。
【００２２】
また、取っ手部が分離可能であるため、取っ手部を分離した後、スタンドに結合して使用できる長所を持つ。
【００２３】
また、脚と延長バーの未使用時には、本体に雄雌結合されてその体積を減らすことができるため、保管及び携帯が容易な長所を持つ。
【図面の簡単な説明】
【００２４】
【図１】本発明の一実施例に係る紫外線殺菌装置を概略的に示す斜視図
【図２】図１の紫外線殺菌装置を概略的に示す底面図で
【図３】図１の紫外線殺菌装置を概略的に示す分解斜視図
【図４】図１の紫外線殺菌装置で脚が本体下部に結合された形態を概略的に示す斜視図
【図５】図４の紫外線殺菌装置で延長バーがさらに介在された形態を概略的に示す斜視図
【発明を実施するための形態】
【００２５】
以下添付された図面を参照して、本発明の紫外線殺菌装置について詳細に説明する。
【００２６】
図１は本発明の一実施例に係る紫外線殺菌装置を概略的に示す斜視図、図２は図１の紫外線殺菌装置を概略的に示す底面図、図３は図１の紫外線殺菌装置を概略的に示す分解斜視図、図４は図１の紫外線殺菌装置で脚が本体下部に結合された形態を概略的に示す斜視図、図５は図４の紫外線殺菌装置で延長バーがさらに介在された形態を概略的に示す斜視図である。
【００２７】
図１ないし図５を参照すると、本発明の紫外線殺菌装置は、本体１００と、本体１００の下部に着脱可能に結合される紫外線ランプ２００と、本体１００に着脱可能に結合されて本体１００と地面との間を離隔させる脚３００と、本体１００に着脱可能に結合されて本体１００と脚３００との間に選択的に介在されることによって本体１００と地面との間の距離をさらに延長させる延長バー４００と、本体１００に着脱可能に結合されて使用者が手でつかむことができる取っ手５００とを含む。
【００２８】
本体１００は、上面に備えられた電源スイッチ１１０と、内部に備えられた傾斜センサ（図示せず）と、上面に備えられた傾斜オフスイッチ１２０と、内部に備えられた制御部（図示せず）とを含む。
【００２９】
電源スイッチ１１０は、紫外線ランプ２００と電気的に連結されて紫外線ランプ２００をオン／オフ（ｏｎ／ｏｆｆ）させる。
【００３０】
傾斜センサは、本体１００の傾斜を感知してあらかじめ設定された傾斜値によって電気的に連結された紫外線ランプ２００のオン／オフを制御する。ここで、傾斜値の設定は、最初設定によって固定された値の場合もあり得、使用者が任意的に設定することもできるが、任意に設定する場合、本体１００の上面に別途の傾斜設定ボタン（図示せず）が備えられる。傾斜センサは、電源スイッチがオン（ｏｎ）される場合、連動して動作し、電源スイッチ１１０がオフ（ｏｆｆ）される場合、連動してその動作が停止される。傾斜センサが備えられる理由は、所定距離から人の目が直接紫外線に露出される場合、目の損傷を引き起すことがあるので、紫外線殺菌装置の利用中に本体１００が所定角度傾くと、紫外線ランプ２００の動作を停止させて不注意による使用者または近くにいる人の目の損傷を防止するためである。
【００３１】
傾斜オフスイッチ１２０は、電源スイッチ１１０がオン（ｏｎ）されても傾斜センサの動作が行われないようにするもので、壁や直立している対象物などに紫外線を照射するときには、紫外線ランプ２００が地面に対して略直交する方向に配置されなければならないため、傾斜センサの動作が電源スイッチ１１０と連動される場合、傾斜センサによって紫外線ランプ２００の動作が行われなくなり、これを防止するためである。もちろん、傾斜設定ボタンがある場合、紫外線の照射角度の調整だけで傾斜オフスイッチ１２０を代替することができるので、傾斜設定ボタンがあれば傾斜オフスイッチ１２０を省略することもできる。もちろん、傾斜オフスイッチ１２０と傾斜設定ボタンの両方を備えることもできる。
【００３２】
制御部は、電源スイッチ１１０と、傾斜センサと、傾斜オフスイッチ１２０と、紫外線ランプ２００との間の電気的連結関係を制御する。もちろん傾斜設定ボタンがある場合、これに対する電気的連結関係も制御する。
【００３３】
脚３００は、本体１００の上面両側に形成された収容溝１３０に着脱可能に結合され、収容溝１３０から分離されて、本体１００の下面両側に形成された結合溝１９０に着脱可能に結合されることによって、本体１００と地面との間の距離を離隔させる。脚３００は、地面に接触する支持部３１０と、支持部３１０の上面一側で上方に延びた離隔部３２０からなり、支持部３１０は円板またはリング状であり得るが、この形状に限定されるものではない。したがって、収容溝１３０の形状も、脚の形状に対応する形態で形成され、離隔部を収容するための離隔部収容溝１３１（離隔部収容ホール）が一側に形成される。ここで、収容溝１３０に脚３００が収容されると、支持部３１０が外部に露出され、この状態で支持部３１０の上面は本体１００の上面と面一または略面一となる。
【００３４】
脚３００の離隔部３２０のうち、上部は、互いに向き合う方向に一対の段付き溝３２１及び前記段付き溝３２１に直交する方向に一対の離隔突起３２２が突出形成され得る。ここで段付き溝３２１は、離隔部３２０の外周面に形成され、離隔突起３２２は、外周面の一部が除去されて内側に湾入した形態であり得るが、このような形態によって離隔部３２０の上部外周面は全体的に凹み部分と凸部分が交互になった形態であり得る。ここで、離隔突起３２２部分によって形成された凹み部分の垂直距離が段付き溝３２１の凹み部分の垂直距離よりも長く形成され得る。離隔部３２０の上面には結合溝１９０との磁性結合のために磁石（図示せず）が備えられ得る。したがって、結合溝１９０内には金属板または離隔部３２０に備えられた磁石と極性が異なる磁石が備えられ得る。
【００３５】
延長バー４００は、本体１００の上面に両側または一側に形成された一対の延長溝１４０に着脱可能に結合され、延長溝１４０から分離されて、本体１００の結合溝１９０と脚３００との間に着脱可能に結合され、地面と本体１００との間の距離をさらに離隔させる。延長バー４００の上部または下部は、離隔部３２０の上部と雄雌結合できるように一対の延長突起４１０が互いに向き合う方向に形成され得、これに交差する方向に一対の段付き突起４２０が形成され得る。ここで、延長突起４１０が段付き突起４２０の垂直の長さよりも長く形成される。これは延長突起４１０が離隔突起３２２部分に形成された凹み部分に雄雌結合され、段付き突起４２０が段付き溝３２１に雄雌結合されるためである。延長バー４００の上面と下面には結合溝１９０及び脚３００との磁性結合のために磁石（図示せず）が備えられ得る。
【００３６】
取っ手５００は、レバー５１０及び固定部材５２０を含む。
【００３７】
レバー５１０の一側には中孔５１１が形成され、該中孔５１１が本体１００の上面中心部に上方に突出した結合棒１５０に挿入されて着脱可能に結合される。中孔５１１を形成する内壁面中心部には内周面に沿って中孔の中心側にフランジ５１２が突出するものの、フランジ５１２の両端は互いに連結されていないため開放された、すなわち中孔の拡張部分であるキー溝５１３が形成される。
【００３８】
このキー溝５１３に対応するように結合棒１５０の上部一側には結合棒１５０に直交する方向にキー突起１５１が突出される。
【００３９】
固定部材５２０は、円筒状でレバー５１０の中孔５１１に挿入されてフランジ５１２に装着され、上面両側に指が挿入できるように回転溝５２１が形成され、外周面の下部一側には略「┐」状のロックホール５２２が形成される。
【００４０】
一方、本体１００の上面中心部には、結合棒１５０の周囲を取り囲む形態で突出リブ１６０が突出され、上面のうち、突出リブ１６０の外側には所定間隔離隔して略「Ｕ」字状のホール形態でパンチングされ、端部の加圧によって上下にはねられ得る一対の固定片１７０が形成されるものの、固定片１７０の端部には固定片突起１７１が突出され得る。本体１００の上面のうち、固定片１７０の外側には、ガイド溝１８０がリング状で形成され、ガイド溝１８０の一部にはより深くガイド固定溝１８１がさらに形成され得る。
【００４１】
このような本体１００の上面の構造に対応するように、レバー５１０の中孔５１１が形成された領域の下面には、突出リブ１６０に対応するようにリブ溝５１４が形成され、リブ溝５１４の外側には固定片１７０に対応するように固定片収容溝５１５が形成され、外郭一側にはガイド溝１８０及びガイド固定溝１８１に対応するようにガイド突起５１６が突出され得る。
【００４２】
このような構造の取っ手５００が本体１００に結合される過程を説明すると、先ず、結合棒１５０のキー突起１５１とレバー５１０のキー溝５１３とを重なるように配置しながらレバー５１０を結合棒１５０に挿入し、突出リブ１６０とリブ溝５１４とを合わせた後、レバー５１０を回して固定片収容溝５１５に固定片突起１７１が収容されるように、そして、ガイド固定溝１８１にガイド突起５１６が収容されるようにする。この状態で固定部材５２０を中孔５１１に挿入してロックホール５２２の垂直部分５２２ａにキー突起１５１が挿入されるようにした後、固定部材５２０を回転させてキー突起１５１をロックホール５２２の水平部分５２２ｂに移動させると、本体１００に取っ手５００が固定結合される。
【００４３】
このような構造の紫外線殺菌装置によれば、紫外線ランプをオン（ｏｎ）させて対象物を殺菌する過程で、紫外線の照射角度が一定の角度から外れると、本体に内蔵された傾斜センサがこれを感知して自動で紫外線ランプをオフ（ｏｆｆ）させることによって不注意な使用による人命事故を防止できる長所を持つ。
【００４４】
また、壁面などに対して殺菌作業を行う場合、傾斜センサの動作を中断させるか、傾斜センサの動作中断のための傾斜角度のセッティングを調節することによって紫外線の照射角度が一定の角度から外れても使用できるため、場所や対象に関わらず、どこでも使用できる長所を持つ。
【００４５】
また、ベッドのマットレスなどのように広く広げられている対象物に対して紫外線殺菌作業を行うとき、脚を本体下部に結合すれば使用者が手でつかんでいなくてもよいため、使い勝手がよい長所を持つ。
【００４６】
また、本体と脚との間に延長バーをさらに介在させることによって紫外線ランプと対象物との間の距離を調節できる長所を持つ。
【００４７】
また、取っ手部が分離可能であるため、取っ手部を分離した後、スタンドなどに結合して使用できる長所を持つ。
【００４８】
また、脚と延長バーの未使用時には、本体に雄雌結合されてその体積を減らすことができるため、保管及び携帯が容易な長所を持つ。
【符号の説明】
【００４９】
１００    本体
１１０    電源スイッチ
１２０    傾斜オフスイッチ
１３０    収容溝
１４０    延長溝
１５０    結合棒
１５１    キー突起
１６０    突出リブ
１７０    固定片
１７１    固定片突起
１８０    ガイド溝
１８１    ガイド固定溝
１９０    結合溝
２００    紫外線ランプ
３００    脚
３１０    支持部
３２０    離隔部
３２１    段付き溝
３２２    離隔突起
４００    延長バー
４１０    延長突起
４２０    段付き突起
５００    取っ手
５１０    レバー
５１１    中孔
５１２    フランジ
５１３    キー溝
５１４    リブ溝
５１５    固定片収容溝
５１６    ガイド突起
５２０    固定部材
５２１    回転溝
５２２    ロックホール
【図１】
0006290351.tif 000002
【図２】
0006290351.tif 000003
【図３】
0006290351.tif 000004
【図４】
0006290351.tif 000005
【図５】
0006290351.tif 000006